(57)【要約】【課題】家庭やオフィス等で使用される各種電気機器、電子機器等において着脱自在な電源プラグ等のプラグを安全に機器本体に固定する部材であって、特に予め機器本体に設けられるものではなく、後付けパーツとして提供することができるプラグ固定体を提供する。【解決手段】電気・電子機器等の機器本体に対して着脱自在で機器本体方向に向かって大径となるプラグ６のコード方向への抜け出しを防止すべく、プラグの細径部分外周に位置するプラグ係止部材２を折曲形成するとともに、折曲部両端部の延長端部には電気・電子機器本体に接着させる接着部材を有する。【選択図】図２
2005347079.tif 000002
【特許請求の範囲】
【請求項１】
電気・電子機器等の機器本体に対して着脱自在で機器本体方向に向かって大径となるプラグの細径部分外周に位置しプラグのコード方向への抜け出しを防止する係止部を折曲形成してなるプラグ係止部材と、該プラグ係止部材両端部に取り付けられ前記電気・電子機器本体に接着される接着部材とからなることを特徴とするプラグ固定体。
【請求項２】
接着部材は可撓性を有することを特徴とする請求項１記載のプラグ固定体。
【請求項３】
接着部材は切断自在としたことを特徴とする請求項１記載のプラグ固定体。
【発明の詳細な説明】
【技術分野】
【０００１】
本発明は、家庭やオフィス等で使用される各種電気機器、電子機器等において着脱自在な電源プラグ等のプラグを安全に機器本体に固定する部材であって、特に予め機器本体に設けたり、容易に離脱しないようにプラグ・ソケットを特殊形状としたりするものではなく、使用中の機器に対する後付けパーツとして提供することができるプラグ固定体に関する。
【背景技術】
【０００２】
従来、家庭やオフィス等で使用される各種電気機器、電子機器、例えばパーソナル・コンピュータ、コピー機、ビデオデッキ等にあっては、電源コードが機器内部から延出している一体タイプ以外に、電源コードが機器本体に対し着脱自在に分離するタイプが存在している。そして、電源コードが機器本体から容易に離脱しないように、始めからプラグとソケットに抜け止め対策を施したものも存在している。
【特許文献１】特開２００１−１７９６６０公報
【発明の開示】
【発明が解決しようとする課題】
【０００３】
しかしながら、このようなプラグの抜け止め対策は、当然のことながら既に使用されている機器に適用することはできなかった。機器本体に対して着脱自在な電源コードは、機器を収納する場合等において電源コードを取り外してひとまとめにでき便宜ではあるものの、一般家庭での機器の使用においては危険を招く恐れがあった。すなわち、この電源コードは子供が引っ張る程度の力でも機器側のプラグが機器本体から容易に外れてしまうものであり、さらにこのプラグに金属部品を差し込んだり、なめたりした場合には感電する危険性があった。また、感電しないまでも、コンピュータ等にあっては動作中に突然電源をオフさせることで内部機器が損傷する恐れもあった。
【０００４】
そこで本発明の目的は、着脱自在なプラグを機器本体から離脱しないようにすることで人と機器の安全を確保することができるプラグ固定体を提供することにある。
【課題を解決するための手段】
【０００５】
上記目的を達成するため、本発明のプラグ固定体は、電気・電子機器等の機器本体に対して着脱自在で機器本体方向に向かって大径となるプラグの細径部分外周に位置しプラグのコード方向への抜け出しを防止する係止部を折曲形成してなるプラグ係止部材と、該プラグ係止部材両端部に取り付けられ前記電気・電子機器本体に接着される接着部材とからなることを特徴とする。
【０００６】
また、接着部材は可撓性を有することを特徴とする。
【０００７】
また、接着部材は切断自在としたことを特徴とする。
【発明の効果】
【０００８】
本発明のプラグ固定体によれば、電気・電子機器等の機器本体に対して着脱自在で機器本体方向に向かって大径となるプラグの細径部分外周に位置しプラグのコード方向への抜け出しを防止する係止部を折曲形成してなるプラグ係止部材と、該プラグ係止部材両端部に取り付けられ前記電気・電子機器本体に接着される接着部材とからなることで、コードを多少の力で引っ張ってもプラグが機器本体から離脱することを防ぎ、人と機器の安全を確保することができる。
【０００９】
また、接着部材は可撓性を有することで、プラグ固定体の接着部材を取り付ける機器本体が湾曲していても確実に接着することができるものである。
【００１０】
また、接着部材は切断自在としたことで、プラグ固定体の接着部材を取り付ける機器本体部分の面積に対応させて確実に接着することができる。
【発明を実施するための最良の形態】
【００１１】
図１及び図２は、本発明のプラグ固定体の第１の実施例を示しており、このプラグ固定体１は、金属製線材を折曲形成したプラグ係止部材２と、このプラグ係止部材２の基端部を固定するとともに機器本体４に接着可能な２個の接着部材３とから構成されている。この実施例にあっては、プラグ固定体１は電源コード５が接続される機器本体４と同一面に固定される形態としている。
【００１２】
プラグ固定体１のプラグ係止部材２は、図２に示すごとく、その中央部分を上下方向にコ字形状に折曲して係止部２ａとし、ここに機器本体４に接続された電源コード５における機器側のプラグ６の細径部６ａが当接若しくは近接するように位置させている。この状態で、電源コード５を引っ張っても、プラグ６の細径部６ａが係止部２ａに当接してそれ以上プラグ６が抜け出てこないものである。プラグ係止部材２の係止部２ａの下方部分は開放されているものの、機器本体４に接続しているプラグ６は引き抜く方向にのみ移動し、そのままで下方には移動しないことから、下方を開放した形状であっても確実にプラグが機器本体から離脱することを防ぐことができるものである。
【００１３】
接着部材３は、表面側ではプラグ係止部材２の基端部を一体モールドして取り外せないように固定するとともに、裏面には機器本体４に固定するために両面粘着剤等の接着剤７を貼設し、その上から剥離紙８を付している。
【００１４】
このような構成からなる本実施例のプラグ固定体１の使用法は、接着剤７の剥離紙８を剥がし、プラグ係止部材２の係止部２ａをプラグ６の細径部６ａに位置させ、この状態で接着部材３を機器本体４に押し付けて接着固定するものである。
【００１５】
図３及び図４は、本発明のプラグ固定体の第２の実施例を示しており、このプラグ固定体１１は、前述同様に金属製線材を折曲形成したプラグ係止部材１２と、このプラグ係止部材１２の基端部を固定するとともに機器本体１４に接着可能な接着部材１３とから構成されている。この実施例にあっては、プラグ固定体１１は図４に示すごとく、電源コード５が接続される機器本体１４の面１４ａではなく、この面１４ａと連設する９０度折曲した面１４ｂに固定される形態としている。
【００１６】
プラグ固定体１１のプラグ係止部材１２は、図４に示すごとく、その一方部分を左右方向にコ字形状に折曲して係止部１２ａとし、ここに機器本体１４に接続された電源コード５における機器側のプラグ６の細径部６ａが当接若しくは近接するように位置させている。この状態で、電源コード５を引っ張っても、プラグ６の細径部６ａが係止部１２ａに当接してそれ以上プラグ６が抜け出てこないものである。
【００１７】
接着部材１３は、前述した第１の実施例と同様に、表面側ではプラグ係止部材１２の基端部を一体モールドして取り外せないように固定するとともに、裏面には機器本体１４に固定するために両面粘着剤等の接着剤１５を貼設し、その上から剥離紙１６を付している。
【００１８】
このような構成からなる本実施例のプラグ固定体１１の使用法は、まずプラグ６を機器本体１４から抜いておき、接着剤１５の剥離紙１６を剥がし、プラグ係止部材１２の係止部１２ａにプラグ６の細径部６ａを位置させるように、プラグ６をプラグ係止部材１２のループ中を通し、その状態で接着部材１３を機器本体１４に押し付けて接着固定するものである。
【００１９】
また、接着部材をゴム製で可撓性を有することとすることで、プラグ固定体を取り付ける機器本体面が湾曲していたり、多少凸凹していたりしても確実に固定することができるものである。さらに、プラグ固定体を取り付ける機器本体面が狭い場合でも固定することができるように、接着部材の外周部分をはさみやナイフで切断自在としてもよいものである。
【００２０】
このようにして機器本体に対して固定された電源コードを機器本体から離脱させるためには、機器本体に接着したプラグ固定体を剥がすより手段はないものであり、したがって接着剤の粘着強度については、多少の力では剥がれないものの、最終的には剥がすことができる程度に設定する必要がある。
【図面の簡単な説明】
【００２１】
【図１】本発明のプラグ固定体の第１の実施例を示す斜視図である。
【図２】本発明のプラグ固定体の第１の実施例の使用状態を示す説明図である。
【図３】本発明のプラグ固定体の第２の実施例を示す斜視図である。
【図４】本発明のプラグ固定体の第２の実施例の使用状態を示す説明図である。
【符号の説明】
【００２２】
１  プラグ固定体
２  プラグ係止部材
２ａ  係止部
３  接着部材
４  機器本体
５  電源コード
６  プラグ
６ａ  細径部
７  接着剤
８  剥離紙
１１  プラグ固定体
１２  プラグ係止部材
１２ａ  係止部
１３  接着部材
１４  機器本体
１５  接着剤
１６  剥離紙
【図１】
2005347079.tif 000003
【図２】
2005347079.tif 000004
【図３】
2005347079.tif 000005
【図４】
2005347079.tif 000006